(57)【要約】      （修正有）【課題】無線通信ネットワークにおける効率的なデータ送信のスケジューリングを可能にする方法を提供する。【解決手段】無線ネットワークノード１２は、無線デバイス１０からのデータの送信タイプ又は無線デバイス１０の能力に基づいて無線デバイス１０からのデータの送信のための遅延値を決定する。能力は、無線ネットワークノード１２からの受信データを処理する処理時間又は無線ネットワークノードへの送信のためにデータを処理する処理時間に関連する。無線ネットワークノードは更に、決定された遅延値を示すインジケーションを無線デバイス１０へ送信する。【選択図】図６
2020191648.tif 000002
【特許請求の範囲】
【請求項１】
無線ネットワークノード（12）によって実行される、無線通信ネットワーク（1）における無線デバイス（10）からのデータの送信に対処するための方法であって、
前記無線デバイス（10）からのデータの送信タイプ又は前記無線デバイス（10）の能力に基づいて前記無線デバイス（10）からのデータの送信のための遅延値を決定すること（805）であって、前記能力は、前記無線ネットワークノード（12）からの受信データを処理する処理時間、又は前記無線ネットワークノードへの送信のためにデータを処理する処理時間に関連する、決定することと、
前記決定された遅延値を示すインジケーションを、前記無線デバイス（10）へ送信すること（806）とを含む、方法。
【請求項２】
請求項１に記載の方法であって、前記決定された遅延値は、前記無線デバイス（10）からのデータの前記送信タイプに基づいて前記無線デバイスがデフォルトとして使用するデフォルト値である、方法。
【請求項３】
請求項１に記載の方法であって、前記決定された遅延値は、前記無線デバイス（10）の前記処理時間に関連する前記無線デバイス（10）の前記能力に基づいて調整された値である、方法。
【請求項４】
請求項１又は３に記載の方法であって、更に、
前記無線デバイス（10）の前記処理時間に関連する前記能力を示す能力インジケーションを、前記無線デバイス（10）から受信すること（804）を含み、前記能力インジケーションは、前記遅延値の前記決定（805）に使用される、方法。
【請求項５】
請求項４に記載の方法であって、前記能力インジケーションは、前記無線デバイス（10）によってサポートされている最小の遅延値である、方法。
【請求項６】
請求項４又は５に記載の方法であって、更に、
前記無線デバイス（10）からのデータの送信タイプに基づいて、前記無線デバイス（10）からのデータの送信のための前記無線デバイス（10）用の初期遅延値として、デフォルト値を設定すること（802）と、
前記設定されたデフォルト値を前記無線デバイス（10）へデフォルトインジケーションで知らせること（803）とを含む、方法。
【請求項７】
請求項６に記載の方法であって、前記デフォルト値を設定すること（802）は、前記無線デバイス（10）からのデータの第２の送信タイプに基づいて、前記無線デバイス（10）からのデータの第２の送信のための前記無線デバイス（10）用の第２の初期遅延値として、第２のデフォルト値を設定することを含み、
前記設定された前記デフォルト値を知らせること（803）は、前記設定された第２のデフォルト値を前記無線デバイス（10）へ前記デフォルトインジケーション又は他のデフォルトインジケーションで知らせること（803）とを含む、方法。
【請求項８】
請求項４から７のいずれか１項に記載の方法であって、前記能力インジケーションは、遅延値のセットを示すインデックス値である、方法。
【請求項９】
請求項１から８のいずれか１項に記載の方法であって、前記インジケーション及び／又は前記デフォルトインジケーションは、インデックス値を遅延値にマッピングするテーブルの当該インデックス値である、方法。
【請求項１０】
無線デバイス（10）によって実行される、無線通信ネットワーク（1）におけるデータの送信に対処するための方法であって、
前記無線デバイス（10）からのデータの送信タイプ又は前記無線デバイス（10）の能力に基づく、前記無線デバイス（10）からのデータの送信のための遅延値を示すインジケーションを、無線ネットワークノード（12）から受信すること（905）であって、前記能力は、前記無線ネットワークノード（12）からの受信データを処理する処理時間、又は前記無線ネットワークノード（12）への送信のためにデータを処理する処理時間に関連する、受信することと、
前記受信されたインジケーションに基づいて遅らせた、前記無線ネットワークノード（12）へのデータの送信を実行すること（906）とを含む、方法。
【請求項１１】
請求項１０に記載の方法であって、更に、
前記無線デバイスの前記処理時間に関連する前記能力を示す能力インジケーションを、前記無線ネットワークノード（12）へ送信すること（904）を含む、方法。
【請求項１２】
請求項１１に記載の方法であって、前記能力インジケーションは、前記無線デバイス（10）によってサポートされている最小の遅延値である、方法。
【請求項１３】
請求項１１又は１２に記載の方法であって、前記能力インジケーションは、遅延値のセットを示すインデックス値である、方法。
【請求項１４】
請求項１１から１３のいずれか１項に記載の方法であって、更に、
前記無線デバイス（10）からのデータの送信のための前記無線デバイス（10）用の初期遅延値のデフォルト値であって、前記無線デバイス（10）からのデータの送信タイプに基づいている前記デフォルト値を示すデフォルトインジケーションを取得すること（902）と、
前記無線ネットワークノード（12）へのデータの１つ以上の送信を実行する際に、前記遅延値を示す前記インジケーションを受信するまで前記デフォルト値を使用すること（903）とを含み、前記受信されたインジケーションは、前記無線デバイス（10）の前記能力に基づく、前記無線デバイス（10）からのデータの送信のための前記遅延値を示す、方法。
【請求項１５】
請求項１４に記載の方法であって、
前記デフォルトインジケーションを取得すること（902）は、前記無線デバイス（10）からのデータの送信のための前記無線デバイス（10）用の第２の初期遅延値の第２のデフォルト値であって、前記無線デバイス（10）からのデータの第２の送信タイプに基づいている前記第２のデフォルト値を取得すること（902）を含み、
前記デフォルト値を使用すること（903）は、前記無線ネットワークノード（12）への前記第２の送信タイプの１つ以上の送信を実行する際に、前記第２のデフォルト値を使用すること（903）とを含む、方法。
【請求項１６】
請求項１１から１５のいずれか１項に記載の方法であって、前記インジケーション及び／又は前記デフォルトインジケーションは、インデックス値を遅延値にマッピングするテーブルの当該インデックス値である、方法。
【請求項１７】
無線通信ネットワーク（1）における無線デバイス（10）からのデータの送信に対処する無線ネットワークノード（12）であって、前記無線ネットワークノード（12）は、
前記無線デバイス（10）からのデータの送信タイプ又は前記無線デバイス（10）の能力に基づいて前記無線デバイス（10）からのデータの送信のための遅延値を決定することであって、前記能力は、前記無線ネットワークノード（12）からの受信データを処理する処理時間、又は前記無線ネットワークノードへの送信のためにデータを処理する処理時間に関連する、決定することと、
前記決定された遅延値を示すインジケーションを、前記無線デバイス（10）へ送信することと、を行うように構成される、無線ネットワークノード。
【請求項１８】
請求項１７に記載の無線ネットワークノード（12）であって、前記決定された遅延値は、前記無線デバイス（10）からのデータの前記送信タイプに基づいて前記無線デバイスがデフォルトとして使用するデフォルト値である、無線ネットワークノード。
【請求項１９】
請求項１７に記載の無線ネットワークノード（12）であって、前記決定された遅延値は、前記無線デバイス（10）の前記処理時間に関連する前記無線デバイス（10）の能力に基づいて調整された値である、無線ネットワークノード。
【請求項２０】
請求項１７から１９のいずれか１項に記載の無線ネットワークノード（12）であって、更に、
前記無線デバイス（10）の前記処理時間に関連する前記能力を示す能力インジケーションを、前記無線デバイス（10）から受信するように構成され、前記受信された能力インジケーションに基づいて前記遅延値を決定するように構成される、無線ネットワークノード。
【請求項２１】
請求項２０に記載の無線ネットワークノード（12）であって、前記能力インジケーションは、前記無線デバイス（10）によってサポートされている最小の遅延値である、無線ネットワークノード。
【請求項２２】
請求項２０又は２１に記載の無線ネットワークノード（12）であって、更に、
前記無線デバイス（10）からのデータの送信タイプに基づいて、前記無線デバイス（10）からのデータの送信のための前記無線デバイス（10）用の初期遅延値として、デフォルト値を設定することと、
前記設定されたデフォルト値を前記無線デバイス（10）へデフォルトインジケーションで知らせることと、を行うように構成される、無線ネットワークノード。
【請求項２３】
請求項２２に記載の無線ネットワークノード（12）であって、更に、前記無線デバイス（10）からのデータの第２の送信タイプに基づいて、前記無線デバイス（10）からのデータの第２の送信のための前記無線デバイス（10）用の第２の初期遅延値として、第２のデフォルト値を設定することと、前記設定された第２のデフォルト値を前記無線デバイス（10）へ前記デフォルトインジケーション又は他のデフォルトインジケーションで知らせることと、を行うように構成される、無線ネットワークノード。
【請求項２４】
請求項２０から２３のいずれか１項に記載の無線ネットワークノード（12）であって、前記能力インジケーションは、遅延値のセットを示すインデックス値である、無線ネットワークノード。
【請求項２５】
請求項１７から２４のいずれか１項に記載の無線ネットワークノード（12）であって、前記インジケーション及び／又は前記デフォルトインジケーションは、インデックス値を遅延値にマッピングするテーブルの当該インデックス値である、無線ネットワークノード。
【請求項２６】
無線通信ネットワーク（1）におけるデータの送信に対処する無線デバイス（10）であって、前記無線デバイスは、
前記無線デバイス（10）からのデータの送信タイプ又は前記無線デバイス（10）の能力に基づく、前記無線デバイス（10）からのデータの送信のための遅延値を示すインジケーションを、無線ネットワークノード（12）から受信することであって、前記能力は、前記無線ネットワークノード（12）からの受信データを処理する処理時間、又は前記無線ネットワークノード（12）への送信のためにデータを処理する処理時間に関連する、受信することと、
前記受信されたインジケーションに基づいて遅らせた、前記無線ネットワークノード（12）へのデータの送信を実行することと、を行うように構成される、無線デバイス。
【請求項２７】
請求項２６に記載の無線デバイス（10）であって、更に、
前記無線デバイスの前記処理時間に関連する前記能力を示す能力インジケーションを、前記無線ネットワークノード（12）へ送信するように構成される、無線デバイス。
【請求項２８】
請求項２７に記載の無線デバイス（10）であって、前記能力インジケーションは、前記無線デバイス（10）によってサポートされている最小の遅延値である、無線デバイス。
【請求項２９】
請求項２７又は２８に記載の無線デバイス（10）であって、前記能力インジケーションは、遅延値のセットを示すインデックス値である、無線デバイス。
【請求項３０】
請求項２６から２９のいずれか１項に記載の無線デバイス（10）であって、更に、
前記無線デバイス（10）からのデータの送信のための前記無線デバイス（10）用の初期遅延値のデフォルト値であって、前記無線デバイス（10）からのデータの送信タイプに基づいている前記デフォルト値を示すデフォルトインジケーションを取得することと、
前記無線ネットワークノード（12）へのデータの１つ以上の送信を実行する際に、前記遅延値を示す前記インジケーションを受信するまで前記デフォルト値を使用することと、を行うように構成され、前記受信されたインジケーションは、前記無線デバイス（10）の前記能力に基づく、前記無線デバイス（10）からのデータの送信のための前記遅延値を示す、無線デバイス。
【請求項３１】
請求項３０に記載の無線デバイス（10）であって、更に、
前記無線デバイス（10）からのデータの送信のための前記無線デバイス（10）用の第２の初期遅延値の第２のデフォルト値であって、前記無線デバイス（10）からのデータの第２の送信タイプに基づいている前記第２のデフォルト値を取得することと、
前記デフォルト値を使用すること（903）は、前記無線ネットワークノード（12）への前記第２の送信タイプの１つ以上の送信を実行する際に、前記第２のデフォルト値を使用することと、を行うように構成される、無線デバイス。
【請求項３２】
請求項２６から３１のいずれか１項に記載の無線デバイス（10）であって、前記インジケーション及び／又は前記デフォルトインジケーションは、インデックス値を遅延値にマッピングするテーブルの当該インデックス値である、無線デバイス。
【請求項３３】
コンピュータプログラムであって、少なくとも１つのプロセッサで実行された場合に、前記無線デバイス（10）又は前記無線ネットワークノード（12）で実行される請求項１から１６のいずれか１項に記載の方法を、前記少なくとも１つのプロセッサに実行させる命令を含む、コンピュータプログラム。
【請求項３４】
少なくとも１つのプロセッサで実行された場合に、前記無線デバイス（10）又は前記無線ネットワークノード（12）で実行される請求項１から１６のいずれか１項に記載の方法を、前記少なくとも１つのプロセッサに実行させる命令を含むコンピュータプログラムが格納された、コンピュータ読み取り可能記憶媒体。
【発明の詳細な説明】
【技術分野】
【０００１】
本明細書の実施形態は、無線ネットワークノード、無線デバイス、及びそれらで実行される方法に関する。特に、本明細書の実施形態は、無線通信ネットワークにおいて、無線ネットワークノードへのデータ送信又は無線ネットワークノードからのデータ送信の実行のような、データの通信に対処することに関する。
【背景技術】
【０００２】
典型的な無線通信ネットワークにおいて、無線通信デバイス、移動局、ステーション（ＳＴＡ）及び／又はユーザ装置（ＵＥ）としても知られる無線デバイスは、無線アクセスネットワーク（ＲＡＮ）を介して１つ以上のコアネットワーク（ＣＮ）に対して通信する。ＲＡＮは、ビーム又はビームグループとも称されうる複数のサービスエリア又はセルエリアに分割される地理的エリアをカバーし、各サービスエリア又はセルエリアは、例えば、いくつかのネットワークにおいては例えば「ＮｏｄｅＢ」又は「ｅＮｏｄｅＢ」とも表示されうる、Ｗｉ−Ｆｉアクセスポイント又は無線基地局（ＲＢＳ）である無線アクセスノードのような無線ネットワークノードによってサービスされる。サービスエリア又はセルエリアは、無線ネットワークノードによって無線カバレッジが提供される地理的エリアである。無線ネットワークノードは、無線周波数で動作する無線インタフェースを介して、無線ネットワークノードの範囲内の無線デバイスと通信する。
【０００３】
Universal Mobile Telecommunications System（ＵＭＴＳ）は、第３世代（３Ｇ）通信ネットワークであり、第２世代（２Ｇ）のGlobal System for Mobile Communications（ＧＳＭ(登録商標)）から発展している。UMTS terrestrial radio access network（ＵＴＲＡＮ）は、実質的には、ユーザ装置のための広帯域符号分割多元接続（ＷＣＤＭＡ(登録商標)）及び／又は高速パケットアクセス（ＨＳＰＡ）を使用するＲＡＮである。第３世代パートナシッププロジェクトとして知られるフォーラムにおいて、通信サプライヤは、第３世代ネットワーク用の標準規格を提案及び合意し、拡張データレート及び無線キャパシティを検討している。例えばＵＭＴＳのようないくつかのＲＡＮでは、複数の無線ネットワークノードが、例えば地上戦又はマイクロ波によって、接続された複数の無線ネットワークノードの種々のアクティビティを管理及び調整する無線ネットワークコントローラ（ＲＮＣ）又は基地局コントローラ（ＢＳＣ）のようなコントローラノードに接続されうる。このタイプの接続は、場合によってはバックホール接続と称される。ＲＮＣ及びＢＳＣは、典型的には１つ以上のコアネットワークに接続される。
【０００４】
第４世代（４Ｇ）ネットワークとも称されるEvolved Packet System（ＥＰＳ）の仕様が、第３世代パートナシップ・プロジェクト（３ＧＰＰ）内で完成し、この作業は、例えば第５世代（５Ｇ）ネットワークを規定するために、来るべき３ＧＰＰリリースで継続している。ＥＰＳは、（ＬＴＥ）無線アクセスネットワークとしても知られるEvolved Universal Terrestrial Radio Access Network（Ｅ−ＵＴＲＡＮ）、及びSystem Architecture Evolution（ＳＡＥ）コアネットワークとしても知られるEvolved Packet Core（ＥＰＣ）を含む。Ｅ−ＵＴＲＡＮ／ＬＴＥは、無線ネットワークノードがＲＮＣに対してではなくＥＰＣコアネットワークに対して直接接続される、３ＧＰＰ無線アクセスネットワークの変形である。一般に、Ｅ−ＵＴＲＡＮ／ＬＴＥでは、ＲＮＣの機能は、例えばＬＴＥのｅＮｏｄｅＢである無線ネットワークノードとコアネットワークとに分散される。このため、ＥＰＳのＲＡＮは、実質的には、１つ以上のコアネットワークに直接接続される（即ち、ＲＮＣには接続されない）無線ネットワークノードを含む「フラットな」構成を有する。Ｅ−ＵＴＲＡＮの仕様が無線ネットワークノード間の直接のインタフェースを規定することを補償するために、このインタフェースはＸ２インタフェースと表示される。ＥＰＳは、発展型３ＧＰＰパケット交換ドメインである。
【０００５】
高度アンテナシステム（ＡＡＳ：Advanced Antenna Systems）は、近年、技術が大幅に進歩した領域であって、今後の数年における無線技術開発が予測される領域である。それ故に、一般にはＡＡＳ及びマッシブ多入力多出力（ＭＩＭＯ）送受信が、とりわけ、将来の第５世代（５Ｇ）システムにおいて基礎になる。
【０００６】
ＡＡＳとの関係で、ビームフォーミングが益々、普及して可能になってきており、データの送信のためおものではなく制御情報の送信のためのものでもある。これは、拡張物理下りリンク制御チャネル（ｅＰＤＣＣＨ）としても知られる、Long Term Evolution（ＬＴＥ）に記述された制御チャネルの１つの動機付けである。制御チャネルがビームフォーミングされた場合、付加的なアンテナ利得によってもたらされるリンクバジェットの増加により、オーバヘッド制御情報を送信するコストを低減できる。
【０００７】
自動再送要求（ＡＲＱ）は、多くの無線ネットワークで使用されている誤り制御技術である。データ伝送の受信機は、ＡＲＱを用いて、各メッセージが正しく受信されたかどうかを送信機に知らせるために確認応答（ＡＣＫ）及び否定確認応答（ＮＡＣＫ）を送信する。誤って受信されたメッセージと確認応答されなかったメッセージは、その結果として再送されうる。
【０００８】
ハイブリッドＡＲＱ（ＨＡＲＱ）は、送信されたメッセージを受信して正しく復号するための受信機の能力を向上させるために、データメッセージの順方向誤り訂正（ＦＥＣ）符号化とＡＲＱとを組み合わせる。従来のＡＲＱと同様に、ＨＡＲＱを採用した受信機は、メッセージの復号の各試行の後に、状況に応じてＡＣＫ及びＮＡＣＫを送信する。これらのＡＣＫ及びＮＡＣＫは、「ＨＡＲＱフィードバック」と称される。
【０００９】
今日のＬＴＥの下りリンクＨＡＲＱ送信では、ＨＡＲＱフィードバックは、無線デバイスから無線通信ネットワーク（ＮＷ）へ、無線デバイスが上りリンクＰＵＳＣＨ送信のためにスケジューリングされているか否かに依存して物理上りリンク制御チャネル（ＰＵＣＣＨ）又は物理上りリンク共有チャネル（ＰＵＳＣＨ）のいずれかで送信される。ＮＷは、その後、個別のＨＡＲＱプロセスの単位で、例えば受信ＡＣＫ／ＮＡＣＫに基づいて、当該プロセスについての最後のＨＡＲＱ受信が成功したか否かについて結論を出してよく、又は下りリンク（ＤＬ）割り当ての受信が失敗したとしても、即ち、無線デバイスは、間欠送信（ＤＴＸ）とも称される、いかなるフィードバックも送信しない。
【００１０】
ＬＴＥにおいて送信されたＨＡＲＱフィードバックのタイミングは、周波数分割複信（ＦＤＤ）では、１つのＨＡＲＱ受信機（ＲＸ）プロセスからのフィードバックが、そのプロセスについての対応するＤＬ送信がサブフレームｎで受信された場合に、上りリンクにおいてサブフレームｎ＋４で受信されるようなタイミングであり、これは全体で４ミリ秒（ｍｓ）の遅延に対応する。それ故に、上りリンク送信に対して、ｋ＿ｆｉｘサブフレームとも称される、スケジューリングフレーム間、又は物理下りリンク共有チャネル（ＰＤＳＣＨ）間に固定タイミングの関係性が存在し、このためＨＡＲＱ−ＡＣＫのスケジューリングは使用されない。例えば、ＬＴＥ ＦＤＤにおいては、ｋ＿ｆｉｘ＝４のサブフレーム遅延がＡＣＫ／ＮＡＣＫに対して使用されている。時分割複信（ＴＤＤ）では、ＤＬデータ送信からＵＬフィードバック受信までの遅延は、半二重ＤＬ−ＵＬ分割を対象とするために４より大きい場合がある。従来技術において行われているようなフィードバック及びデータ送信のスケジューリングの提供は、無線通信ネットワークの性能を制限する可能性がある。
【発明の概要】
【００１１】
本明細書における目的は、データの送信中の無線通信ネットワークの性能を向上させる仕組みを提供することである。
【００１２】
本明細書の実施形態によれば、上記目的は、無線ネットワークノードによって実行される、無線通信ネットワークおける無線デバイスからのデータの送信に対処するための方法を提供することによって達成される。無線ネットワークノードは、無線デバイスからのデータの送信タイプ又は無線デバイスの能力に基づいて無線デバイスからのデータの送信のための、ｋ値のような遅延値を決定する。当該能力は、無線ネットワークノードからの受信データを処理する処理時間、又は無線ネットワークノードへの送信のためにデータを処理する処理時間に関連する。無線ネットワークノードは、決定された遅延値を示すインジケーションを無線デバイスへ送信する。当該決定された遅延値は、無線デバイスからのデータの送信タイプに基づいて無線デバイスがデフォルトとして使用するデフォルト値であってもよいし、又は、いくつかの実施形態において、無線ネットワークノードは、無線デバイスの能力を示す能力インジケーションを、当該無線デバイスから受信してもよく、決定された遅延値は、無線デバイスの示された能力に基づいて動的な値又は調整された値であってもよい。
【００１３】
本明細書の実施形態によれば、上記目的は、無線デバイスによって実行される、無線通信ネットワークおけるデータの送信に対処するための方法を提供することによって達成される。無線デバイスは、インジケーション（例えば、ｋ値又はｋ値を示すインデックス）を無線ネットワークノードから受信する。当該インジケーションは、無線デバイスからのデータの送信タイプ又は無線デバイスの能力に基づく当該無線デバイスからのデータの送信のための遅延値を示す。当該能力は、無線ネットワークノードからの受信データを処理する処理時間、又は無線ネットワークノードへの送信のためにデータを処理する処理時間に関連する。無線デバイスは、更に、受信されたインジケーションに基づいて遅らせた、又は当該インジケーションによって示されるように遅らせた、無線ネットワークノードへのデータの送信を実行するように構成される。いくつかの実施形態において、無線デバイスは更に、無線デバイスの能力を示す、例えば最小ｋ値（ｍｉｎ＿ｋ）である能力インジケーションを送信してもよく、当該能力は、無線ネットワークノードからの受信データを処理する処理時間、又は無線ネットワークノードへの送信のためにデータを処理する処理時間に関連する。その後、無線デバイスは、無線ネットワークノードから遅延値を受信する、即ち、当該遅延値を設定される。その後、無線デバイスは、例えば（ＤＬデータ伝送の受信又はＵＬデータ送信のためのグラントの受信のような）無線ネットワークノードからのデータの受信の後に、示された遅延値で遅延させた又は少なくとも示された遅延値で遅延させたデータの送信を実行する。
【００１４】
更には、本明細書の方法を実行する無線ネットワークノード及び無線デバイスも提供される。
【００１５】
本明細書の実施形態によれば、上記目的は、無線通信ネットワークおける無線デバイスからのデータの送信に対処する無線ネットワークノードを提供することによって達成される。無線ネットワークノードは、無線デバイスからのデータの送信タイプ又は無線デバイスの能力に基づいて無線デバイスからのデータの送信のための遅延値を決定するように構成される。当該能力は、無線ネットワークノードからの受信データを処理する処理時間、又は無線ネットワークノードへの送信のためにデータを処理する処理時間に関連する。無線ネットワークノードは、決定された遅延値を示すインジケーションを無線デバイスへ送信するように構成される。
【００１６】
本明細書の実施形態によれば、上記目的は、無線通信ネットワークおけるデータの送信に対処する無線デバイスを提供することによって達成される。無線デバイスは、無線ネットワークノードからインジケーションを受信するように構成される。当該インジケーションは、無線デバイスからのデータの送信タイプ又は無線デバイスの能力に基づく、当該無線デバイスからのデータの送信のための遅延値を示す。当該能力は、無線ネットワークノードからの受信データを処理する処理時間、又は無線ネットワークノードへの送信のためにデータを処理する処理時間に関連する。無線デバイスは、更に、受信されたインジケーションに基づいて遅らせた、無線ネットワークノードへのデータの送信を実行するように構成される。
【００１７】
本明細書では、少なくとも１つのプロセッサで実行された場合に、無線ネットワークノード又は無線デバイスで実行される上記の方法のいずれかを、当該少なくとも１つのプロセッサに実行させる命令を含むコンピュータプログラムが更に提供される。本明細書では、少なくとも１つのプロセッサで実行された場合に、無線ネットワークノード又は無線デバイスで実行される上記の方法のいずれかを、当該少なくとも１つのプロセッサに実行させる命令を含むコンピュータプログラムが格納された、コンピュータ読み取り可能記憶媒体が更に提供される。
【００１８】
本明細書の実施形態は、無線通信ネットワークにおけるデータ送信のスケジューリングを効率的な方法で可能にする方法を提供する。無線ネットワークノードからのデータの受信後の無線デバイスからのデータの送信のための遅延値を決定又は動的に変更することによって、無線デバイスの能力及び／又はデータの送信タイプに基づいて送信時間を調整でき、それにより、無線通信ネットワークの向上した性能につながる、データを送信する効率的な方法を実現できる。
【図面の簡単な説明】
【００１９】
以下では添付の図面との関連で実施形態をより詳細に説明する。
【００２０】
【図１】図１は、サブフレームにおけるＨＡＲＱフィードバックのスケジューリングの概観である。
【図２】図２は、本明細書の実施形態に係る無線通信ネットワークを示す概観である。
【図３ａ】図３ａは、本明細書の実施形態に係るフローチャート及びシグナリング方法の組み合わせである。
【図３ｂ】図３ｂは、本明細書の実施形態に係るフローチャート及びシグナリング方法の組み合わせである。
【図４】図４は、本明細書の実施形態に係るフローチャート及びシグナリング方法の組み合わせである。
【図５】図５は、本明細書の実施形態に係るフローチャート及びシグナリング方法の組み合わせである。
【図６】図６は、本明細書の実施形態に係るフローチャート及びシグナリング方法の組み合わせである。
【図７】図７は、本明細書の実施形態に係るフローチャート及びシグナリング方法の組み合わせである。
【図８】図８は、本明細書の実施形態に係る無線ネットワークノードによって実行される方法を示す概略的なフローチャートである。
【図９】図９は、本明細書の実施形態に係る無線デバイスによって実行される方法を示す概略的なフローチャートである。
【図１０】図１０は、本明細書の実施形態に係る無線ネットワークノードを示すブロック図である。
【図１１】図１１は、本明細書の実施形態に係る無線デバイスを示すブロック図である。
【発明を実施するための形態】
【００２１】
本明細書のいくつかの実施形態によれば、例えば５Ｇの上りリンクにおいて、スケジューリングメッセージが下りリンクで受信されるサブフレームから、上りリンク伝送が送信されるサブフレームまでの時間を示す、動的な又は調整されたスケジューリング遅延ｋが導入されうる。例えば、当該スケジューリング遅延は、ＤＬ ＨＡＲＱ−ＡＣＫ（即ち、ＤＬデータ伝送を受信した無線デバイスからのＡＣＫ又はＮＡＣＫ応答）が無線ネットワークノードによっていつスケジューリングされているか（図１の例を参照）、及ＵＬ ＰＵＳＣＨが無線ネットワークノードによっていつスケジューリングされているかを示す。ＵＬ ＰＵＳＣＨは、下りリンクで送信される下りリンク・チャネル状態情報参照信号（ＣＳＩ−ＲＳ）に基づく測定報告を含みうる。例えば５Ｇでは、ＤＬスケジューリング・下りリンク制御情報（ＤＣＩ：Downlink Control Information）が、ｋサブフレーム後の上りリンク送信のスケジューリングに使用されうる。図１は、ＤＬデータを更に搬送するＤＬサブフレームで送信されるＤＬスケジューリングＤＣＩを示している。当該ＤＣＩは、スケジューリング情報を搬送し、ＤＬスケジューリングＤＣＩと称されうる。本例では、ｋ＝３が一例として示され、ＨＡＲＱ−ＡＣＫのスケジューリングが、ＤＬスケジューリングＤＣＩよりｋサブフレーム後でありうる。ＤＬサブフレームには、無線デバイスから無線ネットワークノードへのＨＡＲＱ−ＡＣＫ送信のための時間スロットの前に、ＤＬからＵＬへの切り替えのためのガード期間が存在する。値ｋは、可変であってよく、かつ、ＤＣＩに含まれてよく、例えば、ｋの値を示すために２ビットがＤＣＩが含まれてもよい。ＤＬスケジューリングＤＣＩは、ＤＬデータをスケジューリングするためのＤＬ ＤＣＩであってもよいし、又は、実際の上りリンク送信をスケジューリングするためのＵＬ ＤＣＩであってもよい。
【００２２】
無線デバイスでは短い値のｋがより求められるとされており、これは、無線デバイスが、ＤＬデータ伝送を処理し、ＡＣＫとＮＡＣＫのいずれかを決定するする時間を必要とする、又は無線デバイスが、ＵＬデータ送信を準備する（例えば、符号化、変調等）時間を必要とするものの、短い値のｋによってレイテンシが短くなるためである。ＵＬ送信が測定報告を含む場合、無線デバイスは、当該報告を準備するための時間も必要とする。無線デバイスの処理能力に依存して異なる実装が存在し、このため、本明細書の実施形態によれば、無線デバイスが無線ネットワークノードへシグナリングする無線デバイス能力、又は無線デバイスからのデータの送信タイプ（例えば、フィードバック送信であるか又はＵＬデータ送信であるか）に基づく、最小遅延値とも称される遅延値を導入することが提案される。
【００２３】
本明細書の実施形態は概して無線通信ネットワークに関連する。図２は、無線通信ネットワーク１を示す図式的な概観である。無線通信ネットワーク１は、１つ以上のＲＡＮと１つ以上のＣＮとを含む。無線通信ネットワーク１は、例えば、少数の可能性のある実装例を挙げると、Ｗｉ−Ｆｉ、Long Term Evolution（ＬＴＥ）、ＬＴＥ−Ａｄｖａｎｃｅｄ、５Ｇ、Wideband Code Division Multiple Access（ＷＣＤＭＡ）、Global System for Mobile communications/enhanced Data rate for GSM Evolution（ＧＳＭ／ＥＤＧＥ）、Worldwide Interoperability for Microwave Access（ＷｉＭａｘ）、又はUltra Mobile Broadband（ＵＭＢ）といった、１つ又は複数の異なる技術を使用しうる。本明細書の実施形態は、５Ｇコンテキストにおいて特に関心がある最近の技術トレンドに関係しているが、例えばＷＣＤＭＡ及びＬＴＥのような既存の無線通信システムの更なる発展形にも適用可能である。
【００２４】
無線通信ネットワーク１において、移動局、非アクセスポイント（非ＡＰ）ステーション（ＳＴＡ）、ＳＴＡ、ユーザ装置及び／又は無線端末のような無線デバイス（例えば無線デバイス１０）は、１つ以上のアクセスネットワーク（ＡＮ）を介して、１つ以上のコアネットワーク（ＣＮ）及び／又は他の無線デバイスに対して通信する。「無線デバイス」は、任意の端末、無線通信端末、ユーザ装置、マシン型通信（ＭＴＣ）デバイス、デバイス・ツー・デバイス（Ｄ２Ｄ）端末、又はノード（例えば、スマートフォン、ラップトップ、携帯電話、センサ、中継器、携帯型タブレット、又は更にはセル内で通信するスモール基地局）を意味する非限定的な用語であることが当業者によって理解されるべきである。
【００２５】
無線通信ネットワーク１は、ある地理的エリアにわたる無線カバレッジを提供する無線ネットワークノード１２と、５Ｇ、ＬＴＥ、Ｗｉ−Ｆｉ又は類似のもののような第１の無線アクセス技術（ＲＡＴ）の、ビーム又はビームグループと称されうるサービスエリア１１とを含む。無線ネットワークノード１２は、送信及び受信ポイント、例えば、無線ローカルエリアネットワーク（ＷＬＡＮ）アクセスポイント若しくはアクセスポイントステーション（ＡＰ ＳＴＡ）のような無線ネットワークノード、アクセスコントローラ、基地局、例えば、ＮｏｄｅＢ、発展型Ｎｏｄｅ Ｂ（ｅＮＢ、ｅＮｏｄｅ Ｂ）、ベース・トランシーバ・ステーション、無線リモートユニット、アクセスポイント基地局、基地局ルータ、無線基地局の送信構成、スタンドアロン型アクセスポイント、又は、例えば第１の無線アクセス技術及び使用される用語に依存して無線ネットワークノード１２によってサービスされるサービスエリア内で無線デバイスと通信可能な任意の他のネットワークユニットのような無線基地局、でありうる。無線ネットワークノード１２は、サービング無線ネットワークノードと称されてもよく、無線デバイス１０への下りリンク（ＤＬ）送信及び無線デバイス１０からの上りリンク（ＵＬ）送信で、無線デバイス１０と通信する。
【００２６】
上述のように、本明細書の実施形態は、無線デバイス１０との間のＰＤＳＣＨ及びＰＵＳＣＨのスケジューリングのための、遅延値又は最小遅延値と称される遅延の導入に関するものであり、本明細書の実施形態の開発の一部として１つ以上の課題が特定されている。例えば無線デバイス能力が無線デバイス１０から無線ネットワークノード１２へシグナリングされる前に、例えば無線デバイス１０の能力が無線ネットワークノード１２に未知である場合、サポートされている遅延値も未知である。更には、無線デバイスの能力が既知であっても、ページング及びシステム情報のブロードキャストのような、いくつかの下りリンク送信はグループ送信である場合があり、これは適切な遅延値の選択が不安定になることにつながる。本明細書の実施形態は、決定された遅延値をやりとりすることを導入することによって、これらの欠点の少なくとも１つを解決する。
【００２７】
図３ａは、本明細書の実施形態に係るフローチャート及びシグナリング方法の組み合わせである。アクションは任意の適切な順序で実行されうる。
【００２８】
この例において、無線ネットワークノード１２は、無線デバイス１０を対象としたデータを受信する。このため、無線ネットワークノード１２は、スケジューリングするための無線デバイス１０を対象としたデータと無線デバイス１０を対象としたデータのフィードバックとを有している。
【００２９】
アクション３０１．無線ネットワークノード１２は、無線ネットワークノード１２からの、ＤＬ送信用のリソース（ＤＬデータ）をスケジューリングしうる。また、無線ネットワークノード１２は、無線ネットワークノード１２からのＤＬ送信についてのフィードバックを搬送するためのリソースを更にスケジューリングしうる。当該スケジューリングでは、遅延値を考慮に入れる。遅延値は、無線デバイス１０の能力を考慮して、ｋ＿０又はｋ＿ｍｉｎ＿０と表示されるデフォルト値であってもよいし、ｋ又はｋ＿ｍｉｎと表示される動的な値又は調整された値であってもよい。デフォルト値は、以下のパラメータの１つ以上に依存しうる：例えば、ＨＡＲＱ−ＡＣＫ、上りリンク送信、ランダムアクセスチャネル（ＲＡＣＨ）応答、測定報告を含む、専用のシステム情報である、メッセージの送信タイプ；例えば、最大１０００ビット、１００１ビットから１００００ビットまで等の異なるペイロード範囲に対して使用するデフォルト値を記載した仕様におけるテーブル等である、メッセージペイロード；及び、例えば、最大６リソースブロック（ＲＢ）、７ＲＢから１００ＲＢまで等の異なるスケジューリング帯域幅に対して使用するデフォルト値を記載した仕様におけるテーブルである、スケジューリング帯域幅。このため、デフォルト値は、固定値であってもよいし、又は動的な値であってもよいと考えられる。なお、メッセージペイロード及びスケジューリング帯域幅は、送信タイプのインジケーションでもある。動的な値である遅延値は、ＤＬ送信用にスケジューリングされた帯域幅（例えばＲＢ数）に依存しうる。動的な値は、ＤＬ ＤＣＩを含むものと同じフレームである、ＤＬ送信を含むサブフレームから、フィードバックを含むサブフレームまでの時間でありうる。
【００３０】
アクション３０２．次に、無線ネットワークノード１２は、チャネル上での無線デバイス１０へのデータ送信及び／又は無線デバイス１０からのフィードバックを搬送するためのリソースを示す、ＤＬグラントのような制御メッセージ又は情報を送信する。このように、制御メッセージは、追加的に又は代替的に、無線ネットワークノード１２からのデータ送信についてのフィードバック送信のためのリソースのスケジューリングを示しうる。いくつかの実施形態において、下りリンクにおけるデータのフィードバックのスケジューリングは、遅延値のインジケーションを有する制御メッセージ内で示される。遅延値は、制御メッセージの処理、データの復号、及び／又はＤＬ送信に対するフィードバックの生成を行うことを無線デバイス１０が可能にする、処理時間とも称される時間を示す。
【００３１】
アクション３０３．次に、無線ネットワークノード１２は、スケジューリングされたとおりに無線デバイス１０へＤＬデータを送信しうる。
【００３２】
アクション３０４．無線デバイス１０は、制御メッセージの検出及び読み取りを行い、受信したＤＬデータの復号を試み、当該復号に関するフィードバックを生成し、例えば、復号が成功した場合にはＡＣＫ、復号が失敗した場合及び間欠送信（ＤＴＸ）（即ち、送信なし）の場合、制御メッセージの復号／検出が失敗した（即ち、制御メッセージを検出していない）場合にはＮＡＣＫを生成する。このように、無線デバイス１０は、制御メッセージ又はそれ以前の制御メッセージでシグナリングされた遅延値（例えば、デフォルト値ｋ＿０、又は調整値ｋ）の期間内に、復号及びフィードバックの生成を行う。デフォルト値は、無線デバイス１０において事前設定されてもよい。
【００３３】
アクション３０５．次に、無線デバイス１０は、例えば制御メッセージ内で示された遅延値に基づいて、スケジュールされたとおりに、生成されたフィードバックを送信する。当該フィードバックのフィードバック・インジケータは、ＡＣＫ／ＮＡＣＫが存在することを示すための１ビットを含んでよく、それがいずれのリソースエレメントに存在するかは例えば標準規格によって与えられてもよい。
【００３４】
アクション３０６．無線ネットワークノード１２は、フィードバック用にスケジューリングされたリソースの知識に基づいてフィードバック情報を読み取りうる。次に、無線ネットワークノードは、読み取ったフィードバックに基づいて、いずれかのＤＬデータを再送するかどうかを決定する。
【００３５】
本実施形態では、ＨＡＲＱ−ＡＣＫ送信タイプについて記述しているが、同じソリューションは、ＰＵＳＣＨ上のＵＬデータ送信のような他の送信タイプについても成り立つ。
【００３６】
スケジュールＤＣＩメッセージとも称されるＤＬデータ・スケジューリングＤＣＩメッセージ内に、ＤＣＩビットフィールドが導入されうる。
【００３７】
ＤＣＩビットフィールドは、例えばｋ＿ＨＡＲＱ＿ｉと表示される遅延値を表し、ｉ＝０，１，２，３であり、無線デバイス１０がＤＣＩを受信するサブフレームに対するサブフレームオフセットを規定し、４つの値の例を想定している。表Ａを参照。
【００３８】
【表Ａ】
2020191648.tif 000003
【００３９】
異なる複数のインジケーション（ｋ値）に関連する複数の遅延値又はオフセットが、無線基地局１２又はコアネットワークノードから無線デバイス１０への、例えば無線リソース制御（ＲＲＣ）シグナリングを用いた、高レイヤのシグナリングによって設定されてもよい。
【００４０】
無線ネットワークノード１２は、無線デバイス１０が有する、サポートしている能力よりも小さいｋ＿ＨＡＲＱ＿ｉを、スケジューリングＤＣＩメッセージで知らせることはない。いずれにしても無線デバイス１０がより小さなオフセットを受信した場合、無線デバイス１０は、スケジューリングＤＣＩメッセージを無視するか、又はＮＡＣＫをフィードバックしてもよい。このため、無線デバイス１０は、無線ネットワークノード１２から知らされた遅延値を比較し、それを、当該遅延値の範囲内でデータを処理する自らの能力と比較してもよい。
【００４１】
無線ネットワークノード１２が無線デバイス１０の遅延値の能力を知る前には、ｋ＿ＨＡＲＱ＿ｉの少なくとも１つがデフォルトｋ＿０以上であることが、無線デバイス１０によって想定されている。例えば、ｋ＿ＨＡＲＱ＿０は、無線デバイス１０の能力がシグナリングされてｋ＿ＨＡＲＱ＿ｉのＲＲＣ設定が設定される前には、仕様によって与えられたデフォルト値を有してもよい。
【００４２】
あるいは、完全公称テーブルが、無線デバイス１０の能力がシグナリングされて当該テーブルのＲＲＣ設定が確立される前に、使用されてもよい。表Ｂ又は表Ｃを参照。この場合、無線デバイス１０の能力が既知であり、かつ、スケジューリング遅延ｋ＿ＨＡＲＱ＿ｉ、ｉ＝０，１，２，３が高レイヤによって設定されている際に、表Ａが使用されうる。
【００４３】
【表Ｂ】
2020191648.tif 000004
【００４４】
【表Ｃ】
2020191648.tif 000005
【００４５】
代替的又は追加的には、第２の又は他のＤＣＩビットフィールドが、スケジューリングＤＣＩメッセージに導入される。第２のビットフィールドは、調整された若しくは動的な値ｋ＿ｄｙｎ＿ｉ、ｉ＝０，１，２、又は無線デバイス１０がＤＣＩを受信するサブフレームに対するサブフレームオフセットを表してもよく、４つの値の例と静的な値又はオフセットｋ＿ｓｔａｔを想定している。表Ｄを参照。遅延値又はオフセットｋ＿ｄｙｎ＿ｉは、無線ネットワークノード１２から無線デバイス１０への、例えばＲＲＣシグナリングを用いた、高レイヤのシグナリングによって設定されてもよい。無線ネットワークノード１２は、無線デバイス１０が有する、サポートしている能力よりも小さいｋ＿ｓｔａｔ＋ｋ＿ｄｙｎ＿ｉを、スケジューリングＤＣＩメッセージで知らせることはない。いずれにしても無線デバイス１０がより小さなオフセットを受信した場合、無線デバイス１０は、スケジューリングＤＣＩメッセージを無視するか、又はＮＡＣＫをフィードバックしてもよい。無線ネットワークノード１２が無線デバイス１０の最小遅延の能力を知る前には、ｋ＿ｄｙｎ＿ｉの少なくとも１つがｋ＿ｄｙｎ＿０と等しく、ｋ＿ｓｔａｔが、デフォルト値ｋ＿０の例であるｋ＿ｓｔａｔ＿０と等しいことが想定されている。ｋ＿ｄｙｎ＿０及びｋ＿ｓｔａｔ＿０は、仕様によって与えられうる。
【００４６】
【表Ｄ】
2020191648.tif 000006
【００４７】
図３ｂは、ＵＬデータ送信（即ち、無線デバイス１０から無線ネットワークノード１２へのＰＵＳＣＨ等のチャネル上のデータ送信）をスケジューリングするための、本明細書の実施形態の例に係る、フローチャート及びシグナリング方法の組み合わせである。アクションは任意の適切な順序で実行されうる。
【００４８】
アクション３１０．無線デバイス１０は、無線ネットワークノード１２を対象としたデータ、又は他のノード若しくは他の無線デバイスを対象としたデータを有する。その後、無線デバイス１０において送信用にデータがバッファされると、無線デバイス１０は、ＵＬデータ要求（例えば、スケジューリング要求）を送信しうる。
【００４９】
アクション３１１．無線ネットワークノード１２は、無線デバイス１０からチャネル上でデータ伝送を搬送するためのリソース（ＵＬデータ）をスケジューリングする。当該スケジューリングでは、遅延値を考慮に入れる。遅延値は、無線デバイス１０の能力を考慮して、デフォルト値ｋ＿０、又は動的な値ｋでありうる。
【００５０】
アクション３１２．次に、無線ネットワークノード１２は、チャネル上での無線デバイス１０からのデータ伝送を搬送するためのリソースのスケジューリングを示す、ＵＬグラントのような制御メッセージ又は情報を送信する。制御メッセージは、無線デバイス１０のための、ｋインジケーションのような遅延値のインジケーションを含みうる。
【００５１】
アクション３１３．無線デバイス１０は、制御メッセージの検出及び読み取りを行う。
【００５２】
アクション３１４．その後、無線デバイス１０は、スケジューリングされたとおりに（即ち、遅延値が経過した後に）ＵＬデータを送信する。
【００５３】
図４は、本明細書の実施形態に係るフローチャート及びシグナリング方法の組み合わせである。
【００５４】
アクション４０１．無線ネットワークノード１２は、無線デバイス１０からの送信の遅延についてのデフォルト値ｋ＿０を決定しうる。例えば、所与の上りリンク送信タイプについて、デフォルト値が公称値に設定される。このため、デフォルト値は、異なるＵＬ送信タイプに対して異なりうる。上りリンク送信タイプは、例えば、ＨＡＲＱ−ＡＣＫ／ＮＡＣＫ、ＰＵＳＣＨ上のデータ伝送、測定報告であってもよく、異なるペイロードのデータ伝送でさえも異なるタイプ（例えば、ペイロードのレベル及びレベルの閾値によって定められる、小さい、中程度の、大きなペイロード）として定義されてよく、このため、異なるペイロードのデータ伝送は、異なるデフォルト値を有しうる。
【００５５】
アクション４０２．無線ネットワークノード１２は、無線デバイス１０との間のデータ伝送をスケジューリングしうる（即ち、制御メッセージ内でスケジューリングを知らせうる）とともに、制御メッセージ内で、決定されたデフォルト値も無線ネットワークノード１２によってスケジューリングされたとおりに知らせうる。例えば、無線ネットワークノード１２は、無線ネットワークノード１２及び無線デバイス１０の両方に格納されている遅延値のテーブルに含まれるインデックス値であって、送信タイプに基づいて選択されたインデックス値を送信しうる。
【００５６】
アクション４０３．無線デバイス１０は、制御メッセージを受信し、例えば、インデックス値によって知らされたとおりの、知らされた遅延値で遅らせた送信を実行する。
【００５７】
アクション４０４．次に、無線デバイス１０は、無線ネットワークノード１２へ、無線デバイス１０の能力又は能力のインジケーション（能力インジケーション）を送信しうる。例えば、無線デバイス１０は、無線デバイス１０においてデータを処理するためにサポートされている最小の遅延値ｍｉｎ＿ｋのインジケーションとして、能力インジケーションをシグナリングしうる。処理能力に関連する遅延値は、処理能力が高くなるほど、必要とされる遅延値は小さくなる。
【００５８】
アクション４０５．次に、無線ネットワークノード１２は、受信された能力インジケーションに基づいて、調整された値ｋに設定された遅延値を決定しうる。所与の送信タイプ（例えばＵＬ送信）について能力ベースの遅延値が必要とされない場合、その送信タイプについてのデフォルト値ｋ＿０が、代わりに使用されてもよい。遅延値のデフォルト値は、標準規格の仕様によって与えられてもよい。例えば、無線ネットワークノード１２は、デフォルト値ｋ＿０以上の遅延でＨＡＲＱ−ＡＣＫ又はＰＵＳＣＨをスケジューリングしてもよい。代替の実施形態では、調整された値ｋがネゴシエーションされるか又は合意されるまでの間、遅延は固定されてデフォルト値ｋ＿０に等しい。
【００５９】
アクション４０６．次に、無線ネットワークノード１２は、決定された遅延値（即ち、動的な又は調整された値「ｋ」）を無線デバイス１０へ送信しうる。これは、個別に送信されうるか又は他のシグナリングの一部として送信されうる。例えば、無線ネットワークノード１２は、無線デバイス１０との間のデータ伝送を制御メッセージでスケジューリングしてもよく、制御メッセージで更に、無線ネットワークノード１２によってスケジューリングされたとおりの決定された調整値を知らせてもよい。例えば、無線ネットワークノード１２は、無線ネットワークノード１２及び無線デバイス１０の両方に格納されている遅延値のテーブルに含まれるインデックス値であって、能力インジケーションによって知らされた無線デバイス１０の能力に基づいて選択されたインデックス値を送信してもよい。
【００６０】
アクション４０７．無線デバイス１０は、制御メッセージを受信し、例えば、インデックス値によって知らされたとおりの、知らされた遅延値（動的な値）で遅らせた送信を実行する。
【００６１】
図５は、本明細書の実施形態に係るフローチャート及びシグナリング方法の組み合わせである。能力ネゴシエーションが生じる前又は実行される前の手順を図示している。
【００６２】
アクション５０１．無線ネットワークノード１２は、ＰＤＳＣＨ上のＤＬデータ送信をスケジューリングする。
【００６３】
アクション５０２．次に、無線ネットワークノード１２は、例えばスケジューリングされた情報を有するＤＣＩを有するＤＬグラントである、ＤＬデータをＰＤＳＣＨ上で送信する。
【００６４】
アクション５０３．無線ネットワークノード１２は、ＰＤＳＣＨ上でのＤＬデータ送信に対するフィードバックをスケジューリングする。
【００６５】
アクション５０４．次に、無線ネットワークノード１２は、フィードバック用にスケジューリングされた情報を有する制御メッセージを送信する。当該制御メッセージは、制御メッセージよりも少なくともｋ＿０サブフレーム後の、例えばスケジューリングされたＨＡＲＱ−ＡＣＫを示す。アクション５０２及び５０４における制御メッセージは、同じ制御メッセージあってもよいが、異なる制御メッセージでもあってもよい。しかし、ＰＤＳＣＨに関連する任意のケースにおいて処理遅延があり、このためこの場合、アクション５０４におけるｋが制御メッセージに対して相対的に定義されると、ＰＤＳＣＨ送信に対して相対的にある程度の最小遅延が満たされうる。
【００６６】
アクション５０５．無線デバイス１０は、制御メッセージ及びＤＬ ＰＤＳＣＨを復号するか又は復号を試みる。
【００６７】
アクション５０６．無線デバイス１０は、ＤＬ送信についてのフィードバックを、スケジューリングされたとおりに送信する。スケジューリングされた送信は、制御メッセージの受信からｋ＿０サブフレーム遅らせられる。
【００６８】
図６は、本明細書の実施形態に係るフローチャート及びシグナリング方法の組み合わせである。能力ネゴシエーションを用いて、調整された値ｋを決定する際を図示している。ネゴシエーション前の送信は、古いｋ値（例えばｋ＿０）を使用する。
【００６９】
アクション６０１．無線デバイス１０は、無線デバイス１０の処理時間に関連する、無線デバイス能力とも称される、当該デバイスの能力を示す能力インジケーションを送信する。
【００７０】
アクション６０２．無線ネットワークノード１２は、受信した能力に基づいて、遅延値（例えば、動的な値ｋ）を決定する。
【００７１】
アクション６０３．無線ネットワークノード１２は、決定した遅延値のインジケーションを送信する。その結果、無線デバイス１０からの送信は、決定された遅延値ｋを使用する。
【００７２】
図７は、本明細書の実施形態に係るフローチャート及びシグナリング方法の組み合わせである。能力ネゴシエーションが生じた後又は実行された後の手順を図示している。
【００７３】
アクション７０１．無線ネットワークノード１２は、ＰＤＳＣＨ上のＤＬデータ送信をスケジューリングする。
【００７４】
アクション７０２．次に、無線ネットワークノード１２は、例えばスケジューリングされた情報を有するＤＣＩを有するＤＬグラントである、ＤＬデータをＰＤＳＣＨ上で送信する。
【００７５】
アクション７０３．無線ネットワークノード１２は、ＰＤＳＣＨ上でのＤＬデータ送信に対するフィードバックをスケジューリングする。
【００７６】
アクション７０４．次に、無線ネットワークノード１２は、フィードバック用にスケジューリングされた情報を有する制御メッセージを送信する。当該制御メッセージは、例えば、制御メッセージよりもｋ個のサブフレームの後の、スケジューリングされたＨＡＲＱ−ＡＣＫを示す。
【００７７】
アクション７０５．無線デバイス１０は、制御メッセージ及びＤＬ ＰＤＳＣＨを復号するか又は復号を試みる。
【００７８】
アクション７０６．無線デバイス１０は、ＤＬ送信についてのフィードバックを、スケジューリングされたとおりに送信する。スケジューリングされた送信は、遅延値によって定められたとおりに、制御メッセージの受信からｋサブフレーム遅らせられる。
【００７９】
図８は、無線通信ネットワーク１における無線デバイス１０からの、サブフレーム上のデータ又はフィードバックの送信のようなデータの送信に対処するための、無線ネットワークノード１２によって実行される方法を図示したフローチャートである。アクションは任意の適切な順序で実行されてよく、オプションのアクションが破線のボックスで示されている。
【００８０】
アクション８０１．無線ネットワークノード１２は、無線デバイス１０からＵＬデータ要求（データを送信するためのスケジューリング要求）を受信しうるか、又は、無線ネットワークノード１２において無線デバイス１０に対してデータを送信するための当該無線デバイスについてのバッファレベルに達したことを検出しうる。このため、無線ネットワーク１２は、ＵＬデータについて又はＤＬデータのフィードバックについて無線デバイスからのデータ送信をジュスケジューリングする必要がありうる。このため、当該データは、例えばＨＡＲＱ−ＡＣＫ／ＮＡＣＫであるフィードバック、例えばＰＵＳＣＨ上のデータであるＵＬデータ伝送のような送信タイプでありうるとともに、異なるペイロードのデータ伝送でさえも異なる送信タイプ（例えば、ペイロードのレベル及びレベルの閾値によって定められる、小さい、中程度の、大きなペイロード）として定義されてよい。
【００８１】
アクション８０２．無線ネットワークノード１２は、無線デバイス１０からのデータの送信タイプに基づく無線デバイス１０からのデータの送信のための無線デバイス１０用の初期遅延値として、デフォルト値を設定しうる。無線ネットワークノード１２は更に、無線デバイス１０からのデータの第２の送信タイプに基づく、無線デバイス１０からのデータの第２の送信のための無線デバイス１０用の第２の初期遅延値として、第２のデフォルト値を設定してもよい。
【００８２】
アクション８０３．その後、無線ネットワークノード１２は、設定されたデフォルト値を、デフォルトインジケーションで無線デバイス１０へ知らせてもよい。代替的又は追加的には、無線ネットワークノード１２は更に、設定された第２のデフォルト値を無線デバイス１０へ上記デフォルトインジケーション又は他のデフォルトインジケーションで知らせてもよい。このため、無線ネットワークノードは、例えば上りリンクデータの送信及びＨＡＲＱフィードバックの送信に対して異なるデフォルト値を提供してもよい。これら２つのケースで、無線デバイスにおいて異なる処理機能が使用される。
【００８３】
アクション８０４．無線ネットワークノード１２は、無線デバイス１０から、無線デバイス１０の能力を示す能力インジケーションを受信しうる。当該能力は、例えば無線ネットワークノード１２からの受信データを処理する、無線デバイスの処理時間、又は、無線ネットワークノード１２への送信のためにデータを処理する処理時間に関連する。能力インジケーションは、ｍｉｎ＿ｋと表示される、無線デバイス１０によってサポートされている最小の遅延値であってもよい。
【００８４】
アクション８０５．無線ネットワークノード１２は、無線デバイス１０からのデータの送信タイプ又は無線デバイス１０の能力に基づいて当該無線デバイスからのデータの送信のための遅延値を決定する。当該能力は、無線ネットワークノード１２からの受信データを処理する処理時間、又は無線ネットワークノード１２への送信のためにデータを処理する処理時間に関連する。無線ネットワークノード１２は、無線デバイスからの送信タイプに基づいて無線デバイス１０からのデータの送信のための遅延値（例えばｋ＿ｍｉｎ＿０）を決定する。代替的又は追加的には、無線ネットワークノード１２は、無線ネットワーク１０からのデータの送信のための遅延値を、無線デバイスの能力に基づいて（例えば、受信した能力インジケーションに基づいて）決定する。決定された遅延値は、無線デバイス１０からのデータの送信タイプに基づいてデフォルトとして使用する、無線デバイス10用のデフォルト値（例えばｋ＿０）であってもよく、例えば、異なる送信タイプは異なるデフォルト値を有してもよい。決定された遅延値は、追加的又は代替的には、無線デバイス１０の処理時間に関連する無線デバイス１０の能力（例えば、能力インジケーションで知らされた、無線デバイス１０の能力）に基づく、動的な値又は調整された値であってもよい。
【００８５】
アクション８０６．その後、無線ネットワークノード１２は、決定された遅延値を示すインジケーションを、無線デバイス１０へ送信する。無線ネットワークノード１２は、遅延値を無線デバイス１０に設定しうる。無線ネットワークノード１２は、ＤＬ送信に対するフィードバックをスケジューリングし、フィードバックのスケジューリングを示す、決定された遅延値のインジケーションを有する制御メッセージを送信しうる。追加的又は代替的には、無線ネットワークノード１２は、無線デバイスからのＵＬデータをスケジューリングし、ＵＬ送信のスケジューリングを示す、決定された遅延値のインジケーションを有する制御メッセージを送信しうる。
【００８６】
無線ネットワークノード１２は、無線デバイス１０からのチャネル上のデータ伝送を搬送するためのリソースと、無線ネットワークノードからの同一又は異なるチャネル上のデータ伝送のフィードバック送信のためのリソースとをスケジューリングしうる。
【００８７】
能力インジケーションは、遅延値のセットを示すインデックス値であってもよい。更には、インジケーション及び／又はデフォルトインジケーションは、インデックス値を遅延値にマッピングするテーブルに含まれるインデックス値であってもよい。
【００８８】
図９は、無線通信ネットワーク１におけるデータの送信、例えば、無線通信ネットワーク１における無線ネットワークノード１２へのデータ送信（ＵＬデータ又はフィードバックデータ）に対処するための、無線デバイス１０によって実行される方法を図示したフローチャートである。アクションは任意の適切な順序で実行されてよく、オプションのアクションが破線のボックスで示されている。
【００８９】
アクション９０１．無線デバイス１０は、ＵＬ送信のためのスケジューリング要求を送信しうる。
【００９０】
アクション９０２．無線デバイス１０は、無線デバイス１０からのデータの送信のための無線デバイス１０用の初期遅延値のデフォルト値を示すデフォルトインジケーションを取得しうる。当該デフォルト値は、無線デバイス１０からのデータの送信タイプに基づいている。無線デバイスは更に、無線デバイス１０からのデータの送信のための無線デバイス１０用の第２の初期遅延値の第２のデフォルト値を取得してもよく、当該第２のデフォルト値は、無線デバイス１０からのデータの第２の送信タイプに基づいている。無線デバイス１０は、無線ネットワークノード１２又は他の無線ネットワークノードからデフォルトインジケーションを取得してもよいし、又はデフォルト値を事前設定されてもよい。
【００９１】
アクション９０３．無線デバイス１０は、無線ネットワークノード１２へのデータの１つ以上の送信を実行する際に、遅延値を示すインジケーションを受信するまで、デフォルト値を使用しうる（アクション９０５を参照）。受信されたインジケーションは、無線デバイス１０の能力に基づく当該無線デバイスからのデータの送信のための遅延値を示す。更に、無線デバイスは、無線ネットワークノード１２への第２の送信タイプの１つ以上の送信を実行する際に、第２のデフォルト値を使用してもよい。
【００９２】
アクション９０４．無線デバイス１０は、当該無線デバイスの能力を示す能力インジケーションを送信しうる。当該能力は、無線デバイス１０の処理時間に関連する。例えば、無線ネットワークノード１２からの受信データを処理する処理時間、又は無線ネットワークノード１２への送信のためにデータを処理する処理時間である。能力インジケーションは、ｍｉｎ＿ｋと表示される、無線デバイス１０によってサポートされている最小の遅延値であってもよい。能力インジケーションは、遅延値のセットを示すインデックスであってもよい。
【００９３】
アクション９０５．無線デバイス１０は、無線デバイスからのデータの送信のための遅延値（ｋ値）を示すインジケーションを、無線ネットワークノード１２から受信し、当該遅延値は、無線デバイスからのデータの送信タイプ又は無線デバイスの能力に基づいている。当該能力は、無線ネットワークノード１２からの受信データを処理する処理時間、又は無線ネットワークノード１２への送信のためにデータを処理する処理時間に関連する。このようにして、無線デバイスは、無線ネットワークノードから遅延値を設定される。受信された遅延値は、デフォルト値と組み合わせて使用されてもよい。無線デバイス１０は、決定された遅延値を使用しうるが、格納されているデフォルト値を保持し続け、当該デフォルト値は、場合によっては、例えば無線リンク障害の後に使用されてもよい。
【００９４】
アクション９０６．その後、無線デバイス１０は、受信したインジケーションに基づいて遅らせた（例えば、無線ネットワークノードからデータを受信してから、知らされた遅延値で遅らせた）データの送信を実行する。
【００９５】
なお、インジケーション及び／又はデフォルトインジケーションは、インデックス値を遅延値にマッピングするテーブルに含まれるインデックス値であってもよい。
【００９６】
図１０は、無線通信ネットワーク１における無線デバイス１０からの、サブフレーム又はフィードバック上のデータの送信のようなデータの送信に対処する無線ネットワークノード１２を示すブロック図である。
【００９７】
無線ネットワークノード１２は、本明細書の方法を実行するように構成された処理ユニット１００１（例えば、１つ以上のプロセッサ）を備えうる。
【００９８】
無線ネットワークノード１２は、受信モジュール１００２を備えうる。無線ネットワークノード１２、処理ユニット１００１、及び／又は受信モジュール１００２は、ＵＬデータ要求、データを送信するためのスケジューリング要求を、無線デバイス１０から受信するように構成されうる。
【００９９】
無線ネットワークノード１２は、検出モジュール１００３を備えうる。無線ネットワークノード１２、処理ユニット１００１、及び／又は検出モジュール１００３は、無線デバイスへデータを送信するための、無線デバイス１０についての無線ネットワークノード１２におけるバッファレベルに達したことを検出するように構成されうる。無線ネットワークノード１２は、スケジューリングモジュール１００４を備えうる。無線ネットワークノード１２、処理ユニット１００１、及び／又はスケジューリングモジュール１００４は、ＵＬデータ、又はＤＬデータのフィードバックのために、無線デバイスからのデータ送信をスケジューリングするように構成されうる。このため、当該データは、例えばＨＡＲＱ−ＡＣＫ／ＮＡＣＫであるフィードバック、例えばＰＵＳＣＨ上のデータであるＵＬデータ伝送のような送信タイプでありうるとともに、異なるペイロードのデータ伝送でさえも異なる送信タイプ（例えば、ペイロードのレベル及びレベルの閾値によって定められる、小さい、中程度の、大きなペイロード）として定義されてよい。
【０１００】
無線ネットワークノード１２、処理ユニット１００１、及び／又は受信モジュール１００２は、無線デバイス１０の処理時間に関連する能力を示す能力インジケーションを、無線デバイス１０から受信するように構成されうる。当該能力は、無線ネットワークノード１２からの受信データを処理する処理時間、又は、無線ネットワークノード１２への送信のためにデータを処理する処理時間に関連する。能力インジケーションは、無線デバイス１０によってサポートされている最小の遅延値（ｍｉｎ＿ｋ）でありうる。能力インジケーションは、（無線デバイスによってサポートされている）遅延値のセットを示すインデックス値であってもよい。
【０１０１】
無線ネットワークノード１２は、決定モジュール１００５を備えうる。無線ネットワークノード１２、処理ユニット１００１、及び／又は決定モジュール１００５は、無線デバイスからのデータの送信タイプに基づいて、無線デバイス１０からのデータの送信のための遅延値を、例えばｋ＿０について決定するように構成される。代替的又は追加的には、無線ネットワークノード１２は、無線デバイス１０からのデータの送信のための遅延値を、無線デバイスの能力に基づいて決定する。当該能力は、無線ネットワークノード１２からの受信データを処理する処理時間、又は無線ネットワークノード１２への送信のためにデータを処理する処理時間に関連する。決定された遅延値は、無線デバイス１０からのデータの送信タイプに基づいてデフォルトとして使用する、無線デバイス用のデフォルト値（例えばｋ＿０）であってもよく、例えば、異なる送信タイプは異なるデフォルト値を有してもよい。決定された遅延値は、追加的又は代替的には、無線デバイス１０の処理時間に関連する無線デバイス１０の、知らされた能力に基づく、動的な値又は調整された値であってもよい。
【０１０２】
無線ネットワークノード１２は、送信モジュール１００６を備えうる。無線ネットワークノード１２、処理ユニット１００１、及び／又は送信モジュール１００６は、無線デバイス１０へインジケーションを送信するように構成される。当該インジケーションは、決定された遅延値を示し、そのため、無線デバイス１０に遅延値を設定する。無線ネットワークノード１２、処理ユニット１００１、及び／又はスケジューリングモジュール１００４は、ＤＬ送信に対するフィードバックをスケジューリングするように構成されうる。無線ネットワークノード１２、処理ユニット１００１、及び／又は送信モジュール１００６は、当該フィードバックのスケジューリングを示す、決定された遅延値のインジケーションを有する制御メッセージを送信するように構成されうる。追加的又は代替的には、無線ネットワークノード１２、処理ユニット１００１、及び／又はスケジューリングモジュール１００４は、無線デバイスからのＵＬデータをスケジューリングするように構成されうる。無線ネットワークノード１２、処理ユニット１００１、及び／又は送信モジュール１００６は、ＵＬ送信のスケジューリングを示す、決定された遅延値のインジケーションを有する制御メッセージを送信するように構成されうる。インジケーション及び／又はデフォルトインジケーションは、インデックス値を遅延値にマッピングするテーブルに含まれるインデックス値であってもよい。
【０１０３】
無線ネットワークノード１２、処理ユニット１００１、及び／又は決定モジュール１００５は更に、無線デバイス１０からのデータの送信タイプに基づいて無線デバイス１０からのデータの送信のための無線デバイス１０用の初期遅延値として、デフォルト値を設定するように構成されうる。
【０１０４】
無線ネットワークノード１２、処理ユニット１００１、及び／又は送信モジュール１００６は、設定されたデフォルト値を、デフォルトインジケーションで無線デバイス１０へ知らせるように構成されうる。
【０１０５】
無線ネットワークノード１２、処理ユニット１００１、及び／又は決定モジュール１００５は更に、無線デバイス１０からのデータの第２の送信タイプに基づく、無線デバイス１０からのデータの第２の送信のための無線デバイス１０用の第２の初期遅延値として、第２のデフォルト値を設定するように構成されうる。
【０１０６】
無線ネットワークノード１２、処理ユニット１００１、及び／又は送信モジュール１００６は、設定された第２のデフォルト値を無線デバイス１０へ上記デフォルトインジケーション又は他のデフォルトインジケーションで知らせるように構成されうる。
【０１０７】
無線ネットワークノード１２、処理ユニット１００１、及び／又はスケジューリングモジュール１００４は、無線デバイス１０からのチャネル上のデータ伝送を搬送するためのリソースと、無線ネットワークノードからの同一又は異なるチャネル上のデータ伝送のフィードバック送信のためのリソースとをスケジューリングするように構成されうる。
【０１０８】
本明細書に記載の実施形態に係る、無線ネットワークノード１２のための方法は、少なくとも１つのプロセッサで実行されると当該少なくとも１つのプロセッサに、本明細書において無線ネットワークノード１２によって実行されるように記載されたアクションを実行させる命令（即ち、ソフトウェアコード部分）を含む、例えばコンピュータプログラム１００７又はコンピュータプログラム製品の手段でそれぞれ実装される。コンピュータプログラム１００７は、コンピュータ読み取り可能記憶媒体１００８（例えば、ディスク又は同様のもの）に格納されてもよい。コンピュータ読み取り可能記憶媒体１００８は、コンピュータプログラムが格納されており、少なくとも１つのプロセッサで実行されると当該少なくとも１つのプロセッサに、本明細書において無線ネットワークノード１２によって実行されるように記載されたアクションを実行させる命令を含みうる。いくつかの実施形態において、コンピュータ読み取り可能記憶媒体は、非一時的なコンピュータ読み取り可能記憶媒体であってもよい。
【０１０９】
無線ネットワークノード１２は、メモリ１００９を更に備える。当該メモリは、フィードバック・インジケータ、リソース、ＳＲ、ＤＬデータ、ＵＬ／ＤＬグラント、遅延値、テーブル、実行された際に本明細書に開示の方法を実行するためのアプリケーション、及び類似のものといったデータを格納するために使用される１つ以上のユニットを含んでもよい。
【０１１０】
図１１は、無線通信ネットワーク１における無線ネットワークノード１２へのデータ送信（ＵＬデータ又はフィードバックデータ）のような、無線通信ネットワーク１におけるデータの送信に対処する無線デバイス１０を示すブロック図である。
【０１１１】
無線デバイス１０は、本明細書の方法を実行するように構成された処理ユニット１１０１（例えば、１つ以上のプロセッサ）を備えうる。
【０１１２】
無線デバイス１０は、送信モジュール１１０２を備えうる。無線デバイス１０、処理ユニット１１０１、及び／又は送信モジュール１１０２は、ＵＬ送信のためのスケジューリング要求を送信するように構成されうる。
【０１１３】
無線デバイス１０、処理ユニット１１０１、及び／又は送信モジュール１１０２は、無線デバイスの能力を示す能力インジケーションを送信しうる。当該能力は、無線デバイス１０の処理時間（例えば、無線ネットワークノードからの受信データを処理する処理時間、又は、無線ネットワークノードへの送信のためにデータを処理する処理時間）に関連する。能力インジケーションは、無線デバイス１０によってサポートされている最小の遅延値でありうる。能力インジケーションは、例えば無線デバイス１０によってサポートされている、遅延値のセットを示すインデックス値でありうる。
【０１１４】
無線デバイス１０は、受信モジュール１１０３を備えうる。無線デバイス１０、処理ユニット１１０１、及び／又は受信モジュール１１０３は、無線デバイス１０からのデータの送信のための遅延値を示すインジケーションを、無線ネットワークノード１２から受信するように構成され、当該遅延値は、無線デバイスからのデータの送信タイプ、又は無線デバイスの能力に基づいている。当該能力は、無線ネットワークノード１２からの受信データを処理する処理時間、又は無線ネットワークノード１２への送信のためにデータを処理する処理時間に関連する。このようにして、無線デバイスは、無線ネットワークノードから遅延値を設定される。受信された遅延値は、デフォルト値と組み合わせて使用されてもよい。無線デバイス１０は、決定された遅延値を使用しうるが、格納されているデフォルト値を保持し続け、当該デフォルト値は、場合によっては、例えば無線リンク障害の後に使用されてもよい。
【０１１５】
無線デバイス１０は、実行モジュール１１０４を備えうる。無線デバイス１０、処理ユニット１１０１、及び／又は実行モジュール１１０４は、受信したインジケーションに基づいて遅らせた（例えば、無線ネットワークノードからデータを受信してから、知らされた遅延値で遅らせた）、無線ネットワークノード１２へのデータの送信を実行するように構成される。
【０１１６】
無線デバイス１０、処理ユニット１１０１、及び／又は受信モジュール１１０３は、無線デバイス１０からのデータの送信のための無線デバイス１０用の初期遅延値のデフォルト値を示すデフォルトインジケーションを取得するように構成されうる。当該デフォルト値は、無線デバイス１０からのデータの送信タイプに基づいている。
【０１１７】
無線デバイス１０、処理ユニット１１０１、及び／又は実行モジュール１１０４は、無線ネットワークノード１２へのデータの１つ以上の送信を実行する際に、遅延値を示すインジケーションを受信するまで、デフォルト値を使用しうる。受信されたインジケーションは、無線デバイス１０の能力に基づく、当該無線デバイス１０からのデータの送信のための遅延値を示す。
【０１１８】
無線デバイス１０、処理ユニット１１０１、及び／又は受信モジュール１１０３は、無線デバイス１０からのデータの送信のための無線デバイス１０用の第２の初期遅延値の第２のデフォルト値を取得するように構成されうる。当該第２のデフォルト値は、無線デバイス１０からのデータの第２の送信タイプに基づいている。
【０１１９】
無線デバイス１０、処理ユニット１１０１、及び／又は実行モジュール１１０４は、無線ネットワークノード１２への第２の送信タイプの１つ以上の送信を実行する際に、第２のデフォルト値を使用するように構成されうる。
【０１２０】
インジケーション及び／又はデフォルトインジケーションは、インデックス値を遅延値にマッピングするテーブルに含まれるインデックス値であってもよい。
【０１２１】
本明細書に記載の実施形態に係る、無線デバイス１０のための方法は、少なくとも１つのプロセッサで実行されると当該少なくとも１つのプロセッサに、本明細書において無線デバイス１０によって実行されるように記載されたアクションを実行させる命令（即ち、ソフトウェアコード部分）を含む、例えばコンピュータプログラム１１０５又はコンピュータプログラム製品の手段でそれぞれ実装される。コンピュータプログラム１１０５は、コンピュータ読み取り可能記憶媒体１１０６（例えば、ディスク又は同様のもの）に格納されてもよい。コンピュータ読み取り可能記憶媒体１１０６は、コンピュータプログラムが格納されており、少なくとも１つのプロセッサで実行されると当該少なくとも１つのプロセッサに、本明細書において無線デバイス１０によって実行されるように記載されたアクションを実行させる命令を含みうる。いくつかの実施形態において、コンピュータ読み取り可能記憶媒体は、非一時的なコンピュータ読み取り可能記憶媒体であってもよい。
【０１２２】
無線デバイス１０は、更にメモリ１１０７を備える。当該メモリは、フィードバック・インジケータ、リソース、ＳＲ、参照信号、ＵＬデータ、遅延値、テーブル、実行された際に本明細書に開示の方法を実行するためのアプリケーション、及び類似のものといったデータを格納するために使用される１つ以上のユニットを含んでもよい。
【０１２３】
通信設計に詳しい者には容易に理解されるように、その機能手段又はモジュールは、デジタルロジック及び／又は１つ以上のマイクロコントローラ、マイクロプロセッサ、又は他のデジタルハードウェアを用いて実装されうる。いくつかの実施形態では、種々の機能のいくつか又はすべては、例えば、単一の特定用途向け集積回路（ＡＳＩＣ）で、又はデバイス間に適切なハードウェアインタフェース及び／又はソフトウェアインタフェースを有する２つ以上の個別のデバイスで、組み合わせて実装されうる。当該機能のいくつかは、例えば、無線ネットワークノードの他の機能コンポーネントと共有されるプロセッサに実装されてもよい。
【０１２４】
あるいは、説明した処理手段の機能ユニットのいくつかは、専用ハードウェアの仕様を通じて提供されてもよい一方で、その他は、適切なソフトウェア又はファームウェアと関連付けて、ソフトウェアを実行するハードウェアが設けられる。このため、本明細書で使用される「プロセッサ」又は「コントローラ」との用語は、ソフトウェアを実行可能なハードウェアを排他的に指すものではなく、限定することなく、デジタル・シグナル・プロセッサ（ＤＳＰ）ハードウェア、ソフトウェアを格納するためのリード・オンリー・メモリ（ＲＯＭ）、及び／又はプログラム若しくはアプリケーションデータ、及び不揮発性メモリを暗黙的に含んでもよい。他のハードウェア（従来の及び／又はカスタムのもの）も含まれうる。無線ネットワークノードの設計者には、それらの設計上の選択につきもののコスト、性能、及びメンテナンスのトレードオフを理解されよう。
【０１２５】
上述の説明及び添付の図面が、本明細書で教示される方法及び装置の非限定的な例を表すことが理解されよう。このため、本明細書で教示される発明の装置及び技術は、上述の説明及び添付図面によっては限定されない。その代わりに、本明細書の実施形態は、以下の請求項及びそれらの法的な均等のものによってのみ限定される。
【図１】
2020191648.tif 000007
【図２】
2020191648.tif 000008
【図３ａ】
2020191648.tif 000009
【図３ｂ】
2020191648.tif 000010
【図４】
2020191648.tif 000011
【図５】
2020191648.tif 000012
【図６】
2020191648.tif 000013
【図７】
2020191648.tif 000014
【図８】
2020191648.tif 000015
【図９】
2020191648.tif 000016
【図１０】
2020191648.tif 000017
【図１１】
2020191648.tif 000018
【手続補正書】
【提出日】令和2年8月14日(2020.8.14)
【手続補正１】
【補正対象書類名】特許請求の範囲
【補正対象項目名】全文
【補正方法】変更
【補正の内容】
【特許請求の範囲】
【請求項１】
ユーザ装置によって実行される、無線通信ネットワークにおけるデータの送信を実行するための方法であって、
無線ネットワークノードから第１のインジケーションを受信することであって、前記ユーザ装置は、少なくとも１つのデフォルト遅延値を有し、前記第１のインジケーションは、前記ユーザ装置からのデータの送信のための、前記少なくとも１つのデフォルト遅延値からの第１の遅延値を示す、受信することと、
前記無線ネットワークノードへのデータの第１の送信を実行することであって、前記第１の送信のタイミングは、前記示された第１の遅延値に基づいている、実行することと、
前記無線ネットワークノードから制御メッセージを受信することであって、前記制御メッセージは、少なくとも１つの第２の遅延値に関連する情報を含む、受信することと、
前記無線ネットワークノードから第２のインジケーションを受信することであって、前記第２のインジケーションは、前記ユーザ装置からのデータの送信のための、前記少なくとも１つのデフォルト遅延値からの第２の遅延値を示す、受信することと、
前記無線ネットワークノードへのデータの第２の送信を実行することであって、前記第２の送信のタイミングは、前記示された第２の遅延値に基づいている、実行することと、
を含む、方法。
【請求項２】
請求項１に記載の方法であって、前記制御メッセージは、無線リソース制御（ＲＲＣ）メッセージである、方法。
【請求項３】
請求項１又は２に記載の方法であって、前記ユーザ装置は、前記少なくとも１つのデフォルト遅延値を含む第１のテーブルを有する、方法。
【請求項４】
請求項１乃至３のいずれか１項に記載の方法であって、前記第２の遅延値と、前記ユーザ装置が前記第２の遅延値の範囲内でデータを処理することができる最小の遅延値とを比較することと、前記比較に従って、前記第２の遅延値が前記最小の遅延値以上であれば、前記第２の遅延値に基づくタイミングで前記第２の送信を実行することと、を更に含む、方法。
【請求項５】
請求項１乃至４のいずれか１項に記載の方法であって、前記第１のインジケーション及び／又は前記第２のインジケーションは、下りリンク制御情報に含められる、方法。
【請求項６】
請求項１乃至５のいずれか１項に記載の方法であって、前記第２のインジケーションは、調整値を示しており、前記第２の遅延値は、前記第１の遅延値と前記調整値とに基づいている、方法。
【請求項７】
請求項１乃至６のいずれか１項に記載の方法であって、前記第１のインジケーション及び／又は前記第２のインジケーションは、前記ユーザ装置の能力に基づいており、当該能力は、前記無線ネットワークノードから受信されたデータを処理する処理時間、又は前記無線ネットワークノードへの送信のためにデータを処理する処理時間に関連する、方法。
【請求項８】
請求項７に記載の方法であって、更に、
前記ユーザ装置の前記処理時間に関連する前記能力を示す能力インジケーションを、前記無線ネットワークノードへ送信することを含む、方法。
【請求項９】
無線ネットワークノードによって実行される、無線通信ネットワークにおけるデータの送信を実行するための方法であって、
第１のインジケーションをユーザ装置へ送信することであって、前記ユーザ装置は、少なくとも１つのデフォルト遅延値を有し、前記第１のインジケーションは、前記ユーザ装置からのデータの送信のための、前記少なくとも１つのデフォルト遅延値からの第１の遅延値を示す、送信することと、
前記ユーザ装置からデータの第１の送信を受信することと、
制御メッセージを前記ユーザ装置へ送信することであって、前記制御メッセージは、少なくとも１つの第２の遅延値に関連する情報を含む、送信することと、
第２のインジケーションを前記ユーザ装置へ送信することであって、前記第２のインジケーションは、前記ユーザ装置からのデータの送信のための、前記少なくとも１つのデフォルト遅延値からの第２の遅延値を示す、送信することと、
前記ユーザ装置からデータの第２の送信を受信することと、
を含む、方法。
【請求項１０】
請求項９に記載の方法であって、前記制御メッセージは、無線リソース制御（ＲＲＣ）メッセージである、方法。
【請求項１１】
請求項９又は１０に記載の方法であって、前記ユーザ装置は、前記少なくとも１つのデフォルト遅延値を含む第１のテーブルを有する、方法。
【請求項１２】
処理回路及びメモリを備えるユーザ装置であって、前記処理回路は、
無線ネットワークノードから第１のインジケーションを受信することであって、前記ユーザ装置は、少なくとも１つのデフォルト遅延値を有し、前記第１のインジケーションは、前記ユーザ装置からのデータの送信のための、前記少なくとも１つのデフォルト遅延値からの第１の遅延値を示す、受信することと、
前記無線ネットワークノードへのデータの第１の送信を実行することであって、前記第１の送信のタイミングは、前記示された第１の遅延値に基づいている、実行することと、
前記無線ネットワークノードから制御メッセージを受信することであって、前記制御メッセージは、少なくとも１つの第２の遅延値に関連する情報を含む、受信することと、
前記無線ネットワークノードから第２のインジケーションを受信することであって、前記第２のインジケーションは、前記ユーザ装置からのデータの送信のための、前記少なくとも１つのデフォルト遅延値からの第２の遅延値を示す、受信することと、
前記無線ネットワークノードへのデータの第２の送信を実行することであって、前記第２の送信のタイミングは、前記示された第２の遅延値に基づいている、実行することと、
を行うように構成される、ユーザ装置。
【請求項１３】
請求項１２に記載のユーザ装置であって、前記制御メッセージは、無線リソース制御（ＲＲＣ）メッセージである、ユーザ装置。
【請求項１４】
請求項１２又は１３に記載のユーザ装置であって、前記ユーザ装置には、前記少なくとも１つのデフォルト遅延値を含む第１のテーブルが設定される、ユーザ装置。
【請求項１５】
請求項１２乃至１４のいずれか１項に記載のユーザ装置であって、前記ユーザ装置は、前記第２の遅延値と、前記ユーザ装置が前記第２の遅延値の範囲内でデータを処理することができる最小の遅延値とを比較し、前記比較に従って、前記第２の遅延値が前記最小の遅延値以上であれば、前記第２の遅延値に基づくタイミングで前記第２の送信を実行する、ように構成される、ユーザ装置。
【請求項１６】
請求項１２乃至１５のいずれか１項に記載のユーザ装置であって、前記第１のインジケーション及び／又は前記第２のインジケーションは、下りリンク制御情報に含められる、ユーザ装置。
【請求項１７】
請求項１２乃至１６のいずれか１項に記載のユーザ装置であって、前記第２のインジケーションは、調整値を示しており、前記第２の遅延値は、前記第１の遅延値と前記調整値とに基づいている、ユーザ装置。
【請求項１８】
請求項１２乃至１７のいずれか１項に記載のユーザ装置であって、前記第１のインジケーション及び／又は前記第２のインジケーションは、前記ユーザ装置の能力に基づいており、当該能力は、前記無線ネットワークノードから受信されたデータを処理する処理時間、又は前記無線ネットワークノードへの送信のためにデータを処理する処理時間に関連する、ユーザ装置。
【請求項１９】
請求項１８に記載のユーザ装置であって、前記ユーザ装置は、
前記ユーザ装置の前記処理時間に関連する前記能力を示す能力インジケーションを、前記無線ネットワークノードへ送信するように構成される、ユーザ装置。
【請求項２０】
処理回路及びメモリを備える無線ネットワークノードであって、前記処理回路は、
第１のインジケーションをユーザ装置へ送信することであって、前記ユーザ装置は、少なくとも１つのデフォルト遅延値を有し、前記第１のインジケーションは、前記ユーザ装置からのデータの送信のための、前記少なくとも１つのデフォルト遅延値からの第１の遅延値を示す、送信することと、
前記ユーザ装置からデータの第１の送信を受信することと、
制御メッセージを前記ユーザ装置へ送信することであって、前記制御メッセージは、少なくとも１つの第２の遅延値に関連する情報を含む、送信することと、
第２のインジケーションを前記ユーザ装置へ送信することであって、前記第２のインジケーションは、前記ユーザ装置からのデータの送信のための、前記少なくとも１つのデフォルト遅延値からの第２の遅延値を示す、送信することと、
前記ユーザ装置からデータの第２の送信を受信することと、
を行うように構成される、無線ネットワークノード。
【請求項２１】
請求項２０に記載の無線ネットワークノードであって、前記制御メッセージは、無線リソース制御（ＲＲＣ）メッセージである、無線ネットワークノード。
【請求項２２】
請求項２０又は２１に記載の無線ネットワークノードであって、前記ユーザ装置は、前記少なくとも１つのデフォルト遅延値を含む第１のテーブルを有する、無線ネットワークノード。
【請求項２３】
請求項２０乃至２２のいずれか１項に記載の無線ネットワークノードであって、前記第１のインジケーション及び／又は前記第２のインジケーションは、下りリンク制御情報に含められる、無線ネットワークノード。
【請求項２４】
請求項２０乃至２３のいずれか１項に記載の無線ネットワークノードであって、前記第２のインジケーションは、調整値を示しており、前記第２の遅延値は、前記第１の遅延値と前記調整値とに基づいている、無線ネットワークノード。
【請求項２５】
請求項２０乃至２４のいずれか１項に記載の無線ネットワークノードであって、前記第１のインジケーション及び／又は前記第２のインジケーションは、前記ユーザ装置の能力に基づいており、当該能力は、前記無線ネットワークノードから受信されたデータを処理する処理時間、又は前記無線ネットワークノードへの送信のためにデータを処理する処理時間に関連する、無線ネットワークノード。
【請求項２６】
請求項２５に記載の無線ネットワークノードであって、前記無線ネットワークノードは、
前記ユーザ装置の前記処理時間に関連する前記能力を示す能力インジケーションを、前記ユーザ装置から受信するように構成され、前記能力インジケーションは、前記第２の遅延値の決定に使用される、無線ネットワークノード。
【外国語明細書】
2020191648000001.pdf